(57)【要約】      （修正有）【課題】検出用のセンサ類を多く用いることなく、複数の規格の用紙サイズを検出することが可能な画像処理装置を提供する。【解決手段】原稿台１０１１上に載置された原稿の主走査方向１列分の画像を読み取るラインセンサと、主及び副走査方向に移動可能な原稿台の所定箇所の原稿の存否を検出する原稿検出センサ１１００と、該ラインセンサによって該原稿台１０１１上に載置された原稿の主走査方向の長さを検知し保持する主走査方向長さ保持手段と、該原稿検出センサ１１００が第１ホームポジションをとるとき、該主走査方向長さ保持手段が保持する長さと、第１系列の規格長さと一致するか否かを判定する第１系列規格長さ判定手段と、該原稿検出センサ１１００が第２ホームポジションをとるとき、該主走査方向長さ保持手段が保持する長さと、第２系列の規格長さと一致するか否かを判定する第２系列規格長さ判定手段と、を有する。【選択図】図１５
2008283279.tif 000002
【特許請求の範囲】
【請求項１】
原稿台上に載置された原稿の主走査方向１列分の画像を読み取るラインセンサと、
該原稿台の内部において主走査方向及び副走査方向に移動可能に構成され、原稿台の所定箇所の原稿の存否を検出する原稿検出センサと、
該ラインセンサによって該原稿台上に載置された原稿の主走査方向の長さを検知し保持する主走査方向長さ保持手段と、
該原稿検出センサが第１ホームポジションをとるとき、該主走査方向長さ保持手段が保持する長さと、第１系列の規格長さと一致するか否かを判定する第１系列規格長さ判定手段と、
該原稿検出センサが第２ホームポジションをとるとき、該主走査方向長さ保持手段が保持する長さと、第２系列の規格長さと一致するか否かを判定する第２系列規格長さ判定手段と、を有することを特徴とする画像処理装置。
【請求項２】
該第１系列規格長さ判定手段によって、該主走査方向長さ保持手段が保持する長さが第１系列の規格長さと一致しないと判定されたときには、該原稿検出センサを第１ポジションから移動させ、
該第２系列規格長さ判定手段によって、該主走査方向長さ保持手段が保持する長さが第２系列の規格長さと一致しないと判定されたときには、該原稿検出センサを第２ポジションから移動させる移動手段、を有することを特徴とする請求項１に記載の画像処理装置。
【請求項３】
該原稿検出センサを第１ホームポジションに位置させた上で該第１系列規格長さ判定手段を用いるか、該原稿検出センサを第２ホームポジションに位置させた上で該第２系列規格長さ判定手段を用いるか選択可能に構成されることを特徴とする請求項１又は請求項２に記載の画像処理装置。
【請求項４】
該原稿検出センサを第１ホームポジションに位置させた上で該第１系列規格長さ判定手段を用いるか、該原稿検出センサを第２ホームポジションに位置させた上で該第２系列規格長さ判定手段を用いるかを操作パネル部のユーザー操作によって選択可能に構成されることを特徴とする請求項１又は請求項２に記載の画像処理装置。
【請求項５】
該第１系列規格長さは、Ａ列の用紙の長さ又はＢ列の用紙の長さであることを特徴とする請求項１乃至請求項４のいずれかに記載の画像処理装置。
【請求項６】
該第２系列規格長さは、レターサイズ用紙の長さ又はリーガルサイズ用紙の長さであることを特徴とする請求項１乃至請求項５のいずれかに記載の画像処理装置。
【請求項７】
原稿台上に載置された原稿の主走査方向１列分の画像を読み取るラインセンサによって該原稿台上に載置された原稿の主走査方向の長さを検知し、当該長さが規格長さと一致しないときは、該原稿台の内部において主走査方向及び副走査方向に移動可能に構成される原稿検出センサを移動させて、原稿のサイズを検出するように制御する画像処理装置の制御方法であって、
該原稿検出センサを第１ホームポジションに位置させて、第１系列の規格長さと一致しないときに、該原稿検出センサを移動させて原稿のサイズを検出する第１のモードと、
該原稿検出センサを第２ホームポジションに位置させて、第２系列の規格長さと一致しないときに、該原稿検出センサを移動させて原稿のサイズを検出する第２のモードと、を有することを特徴とする画像処理装置の制御方法。
【発明の詳細な説明】
【技術分野】
【０００１】
本発明は、スキャナ装置、コピー装置やファクシミリ装置、或いはスキャナ部及びプリンタ部を備えたデジタル複合機などの画像処理装置に係り、特に、スキャナ部で原稿をスキャンするときにおける原稿サイズの検出を行う画像処理装置及びこのような画像処理装置の制御方法に関する。
【背景技術】
【０００２】
従来、画像読み取り装置などの画像処理装置では、いくつかの読み取り方式が実用化されているが、中でも、上部に平らなテーブル状の台を持ち、原稿を載せた状態で、読み取り機構を動作させることでデータを読み取るようになっているフラットヘッド方式が一般的で、広く普及している。
【０００３】
通常、フラットヘッド方式の画像読み取り装置は、読み取り機構として一次元の撮像素子（ラインセンサ）を備え、撮像素子を搭載したキャリッジを原稿に対して移動（スキャン）させることで２次元の情報を読み取るようになっている。
【０００４】
読み取った画像データは、画像の再現性を高めるため、色調補正等の画像処理が施されるが、再現性をより高めるためには、読み取り対象の原稿の種類、例えば、モノクロ書類・カラー写真等に応じた画像処理方法を選択する必要がある。また、読み取り時間を短縮するためには、原稿サイズに応じた読み取り範囲を設定する必要がある。
【０００５】
このため、画像読み取り装置によっては、本スキャンを行なう前にプリスキャンを行なって、画像処理方法、読み取り範囲の設定等を行なう機能を備えているものがある。
【０００６】
ここで、プリスキャンとは、読み取り対象となる原稿の概略を、例えば、５０ｄｐｉ程度低解像度で迅速に読み取る処理である。
【０００７】
例えば、特許文献１（特開２００１−３２０５４５号公報）には、コンタクトガラスの下方に反射型光電センサを配置し、原稿のサイズを識別するようにした画像読取装置において、反射型光電センサを所定のリニア移動経路内において往復移動させる光電センサ移動制御手段と、リニア移動経路を移動する反射型光電センサがオンしてからオフになるまでの移動期間の大小を判別して、原稿サイズを識別する主制御手段とを備えたことを特徴とする画像読取装置が開示されている。
【特許文献１】特開２００１−３２０５４５号公報
【発明の開示】
【発明が解決しようとする課題】
【０００８】
現状のスキャナなどの画像読み取り装置では原稿が原稿台に置かれた時に主走査方向はラインセンサで、また、副走査方向はミラーで反射させてＣＣＤで読み取るかまたはセンサを固定位置に配置して原稿サイズ検知を行っている。このような検知方式では、検知できる用紙サイズは、規格で決まっている定型サイズに限定されてしまう、という問題がある。
【０００９】
規格で決まっている定型サイズ以外のサイズの原稿を検出するためにはセンサを複数配置するか、プレスキャンを行うしかない。特許文献１に記載されたる画像読取装置は、光電センサ、反射型光電センサを移動させて検知するものであるが、このような方法によれば、光電センサ、反射型光電センサなどの移動時間による待ち時間が画像読取前に常に発生し、使い勝手が悪い、という問題がある。
【００１０】
また、現在、日本ではＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）のＡ列、Ｂ列による規格の用紙が一般的であるが、米国などはリーガルサイズ、レターサイズなどの規格の用紙が一般的である。ところが、従来の画像読み取り装置では、種々の規格の用紙サイズを検出することができないか、或いはできたとしても配置する検出用のセンサの数が多くなってしまう、という問題がある。
【課題を解決するための手段】
【００１１】
上記のような問題に対処するために、本発明の画像処理装置は、原稿台上に載置された原稿の主走査方向１列分の画像を読み取るラインセンサと、該原稿台の内部において主走査方向及び副走査方向に移動可能に構成され、原稿台の所定箇所の原稿の存否を検出する原稿検出センサと、該ラインセンサによって該原稿台上に載置された原稿の主走査方向の長さを検知し保持する主走査方向長さ保持手段と、該原稿検出センサが第１ホームポジションをとるとき、該主走査方向長さ保持手段が保持する長さと、第１系列の規格長さと一致するか否かを判定する第１系列規格長さ判定手段と、該原稿検出センサが第２ホームポジションをとるとき、該主走査方向長さ保持手段が保持する長さと、第２系列の規格長さと一致するか否かを判定する第２系列規格長さ判定手段と、を有することを特徴とする。
【００１２】
また、本発明の画像処理装置は、該第１系列規格長さ判定手段によって、該主走査方向長さ保持手段が保持する長さが第１系列の規格長さと一致しないと判定されたときには、該原稿検出センサを第１ポジションから移動させ、該第２系列規格長さ判定手段によって、該主走査方向長さ保持手段が保持する長さが第２系列の規格長さと一致しないと判定されたときには、該原稿検出センサを第２ポジションから移動させる移動手段、を有することを特徴とする。
【００１３】
また、本発明の画像処理装置は、該原稿検出センサを第１ホームポジションに位置させた上で該第１系列規格長さ判定手段を用いるか、該原稿検出センサを第２ホームポジションに位置させた上で該第２系列規格長さ判定手段を用いるか選択可能に構成されることを特徴とする。
【００１４】
また、本発明の画像処理装置は、該原稿検出センサを第１ホームポジションに位置させた上で該第１系列規格長さ判定手段を用いるか、該原稿検出センサを第２ホームポジションに位置させた上で該第２系列規格長さ判定手段を用いるかを操作パネル部のユーザー操作によって選択可能に構成されることを特徴とする。
【００１５】
また、本発明の画像処理装置は、該第１系列規格長さは、Ａ列の用紙の長さ又はＢ列の用紙の長さであることを特徴とする。
【００１６】
また、本発明の画像処理装置は、該第２系列規格長さは、レターサイズ用紙の長さ又はリーガルサイズ用紙の長さであることを特徴とする。
【００１７】
また、本発明の画像処理装置の制御方法は、原稿台上に載置された原稿の主走査方向１列分の画像を読み取るラインセンサによって該原稿台上に載置された原稿の主走査方向の長さを検知し、当該長さが規格長さと一致しないときは、該原稿台の内部において主走査方向及び副走査方向に移動可能に構成される原稿検出センサを移動させて、原稿のサイズを検出するように制御する画像処理装置の制御方法であって、該原稿検出センサを第１ホームポジションに位置させて、第１系列の規格長さと一致しないときに、該原稿検出センサを移動させて原稿のサイズを検出する第１のモードと、該原稿検出センサを第２ホームポジションに位置させて、第２系列の規格長さと一致しないときに、該原稿検出センサを移動させて原稿のサイズを検出する第２のモードと、を有することを特徴とする。
【００１８】
本発明の画像処理装置及び画像処理装置の制御方法によれば、
規格で決まっている定形サイズの原稿については、ラインセンサとホームポジションにある原稿検出センサからの情報によって、センサ等を移動させることなく検出することができ、かつ、規格外の原稿サイズについても原稿検出センサが移動することによって、検知することができるので、原稿サイズの検知に要する時間を大幅に短縮することができ、使い勝手のよい画像処理装置を提供することができる。
【００１９】
また、本発明の画像処理装置及び画像処理装置の制御方法によれば、検出用のセンサ類を多く用いることなく、ＩＳＯのＡ列、Ｂ列の用紙やリーガルやレターいった用紙など、複数の規格の用紙サイズを検出することが可能な画像処理装置を提供することができる。
【発明を実施するための最良の形態】
【００２０】
以下、本発明の実施の形態を図面を参照しつつ説明する。本実施形態においては画像処理装置として複合機を例にとり説明するが、本発明はこのような複合機に限らず単体としての、スキャナ装置、ファクシミリ専用機などの画像処理装置にも適用可能なものである。
【００２１】
図１は本発明の実施の形態に係るファクシミリ装置（複合機）及びその周辺のシステム構成を示す図である。図１において、１０はＬＡＮ、ＷＡＮなどのネットワーク、２０は電話回線、１００は複合機、１１０は複合機の主制御を行う制御部、１２０はファクシミリ文書の送受信を行うファクシミリ部、１３０は記録媒体への印刷を行うプリンタ部、１４０は原稿の読み取りを行うスキャナ部、１５０はユーザーとのインターフェイスとなる操作パネル部、１６０はネットワークＩ／Ｆ、１７０はＵＳＢ  Ｉ／Ｆ、２００、２００’、２００’’はパーソナルコンピュータ、３００は外部機器をそれぞれ示している。
【００２２】
図１に示されるファクシミリ装置（複合機）周辺のシステムでは、クライアントなどのパーソナルコンピュータ２００、２００’、２００’’と複合機１００とが、ネットワーク１０を介して接続される構成となっている。また、複合機１００のファクシミリ部１２０が電話回線２０と、ＵＳＢ  Ｉ／Ｆ１７０が、携帯電話やデジタルカメラなどの外部機器３００と接続されるような構成とされている。
【００２３】
複合機１００は、情報処理装置からなる複合機本体の主制御を行う制御部１１０と、ユーザーの入力操作を受け付ける入出力装置である操作パネル部１５０と、原稿・画像をスキャンしてカラーで読み込むスキャナ部１４０と、印刷用紙等に印刷を行うプリンタ部１３０と、ファクシミリ送受信を行うファクシミリ部１２０とを備える。つまり、複合機１００は、スキャナ機能、印刷機能、スキャナ機能と印刷機能を組み合わせたコピー機能及びファクシミリ送受信機能を備えるものである。
【００２４】
複合機１００の情報処理機構は、いずれも例えば汎用的なコンピュータシステムにより構成され、個々の構成要素または機能は、例えば、記憶手段に書き込まれたコンピュータプログラムを実行することにより実現される。
【００２５】
スキャナ部１４０は、原稿を載置可能な不図示の原稿台とこれを読み取る光学系からなる。スキャナ部１４０の原稿台には、原稿台に載置した原稿のサイズを検知することができる原稿サイズ検知センサが設けられている。また、複合機に１００には、スキャナ部１４０に自動的に連続的に原稿を送致する構成である自動原稿搬送装置（ＡＤＦ：Ａｕｔｏｍａｔｉｃ  Ｄｏｃｕｍｅｎｔ  Ｆｅｅｄｅｒ）が設けられている。
【００２６】
スキャナ部１４０によって読み取られた制御部１１０の不図示の記憶手段に一度取り込まれる。操作パネル部１５０などからの指定によって制御部１１０は、スキャナ部１４０で読み取られた原稿画像データを、そのまま、或いは設定された倍率でプリンタ部１３０から紙出力したり（複合機１００のコピー機能）、ファクシミリ部１２０から電話回線を通じて送信したり（複合機１００のファクシミリ機能）、ネットワークＩ／Ｆ１６０、ネットワーク１０を介して、パーソナルコンピュータ２００、２００’、２００’’に向けて送信したり（複合機１００のスキャナ機能）する。
【００２７】
プリンタ部１３０は、記録用紙上に画像を形成するものであり、レーザーやＬＥＤラインヘッドによって感光体上に潜像を形成する方式を採用した電子写真方式や、記録用紙上に直接インクを射出する方式を採用したインクジェット方式などの周知のハードウエア構成を用いることができる。制御部１１０は、操作パネル部１５０やパーソナルコンピュータ２００、２００’、２００’’或いは、携帯電話、デジタルカメラなどの外部機器３００からの指示に基づいて、プリンタ部１３０に所定の紙出力を行わせるものである。すなわち、プリンタ部１３０は、スキャナ部１４０によって読み取られた画像データやファクシミリ部２１０で受信されたファクシミリデータや、パーソナルコンピュータ２００、２００’、２００’’のアプリケーションソフトウエアからのデータや外部機器３００からの画像データなどを紙出力するものである。
【００２８】
ファクシミリ部１２０は、電話回線２０と接続されていて、ファクシミリの送受信を行うファクシミリ送受信部（不図示）と、ファクシミリ送受信部が送信するための送信データを一時記憶する送信バッファ及びファクシミリ送受信部が受信した受信データを一時記憶する受信バッファを構成するためのファクシミリ部用のメモリを備えている。
【００２９】
また、ファクシミリ部１２０は、電話回線２０からファクシミリ送信されてきたデータを受信すると、その受信データを一旦格納する。そして、格納された受信データは、制御部１１０へ送られて、プリンタ部１３０で印刷される。ファクシミリ部１２０は、複合機１００内の他の構成とは独立にファクシミリ送受信を行う。つまり、ファクシミリ部１２０は、複合機１００から送信データを受け付けると、複合機１００とは独立にファクシミリ送信を行うし、電話回線２０からファクシミリデータが送信されてくれば、それを受信する。
【００３０】
複合機１００のコピー機能は、ユーザーの操作パネル部１５０の操作によって制御部１１０に設定される。操作パネル部１５０からは、コピー機能に係るコピー倍率の設定、原稿画像サイズの設定、出力用紙のサイズの設定を行うことができ、制御部１１０はこれらの設定に基づいて、複合機１００のコピー機能を実行する。複合機１００のコピー機能は、スキャナ部１４０にて読み取った原稿の原稿画像データに、コピー倍率処理を施し、これをプリンタ部１３０で指定されたサイズの用紙に紙出力する。
【００３１】
操作パネル部１５０のハードウエアは、操作に係わる表示を行うＬＣＤからなる表示部と、指などによる押圧で入力が行えるタッチパネル部とから概略構成される。これらの表示部とタッチパネル部とは重ねて構成されており、ユーザーは表示部の表示を参照しつつ、指でタッチパネル部を操作することで複合機１００の各種設定を行うことができるようになっている。タッチパネル部による入力機構、表示部による表示機構の具体的な構成については、周知の技術を用いることができる。この操作パネル部１５０で行うことができるのは、複合機１００のファクシミリ機能、プリンタ機能、コピー機能といった各種機能の選択、画像のプレビュー表示などである。
【００３２】
次に、本発明で用いられるスキャナ部１４０について説明する。図２は本発明の実施の形態に係る画像処理装置（複合機）のスキャナ部１４０の概略構成を示す図である。図２において、１０１０は本体、１０１１は原稿台、１０１３は白基準、１０１４はインターフェイス、１０２０はキャリッジ、１０２１は光源、１０２２はミラー、１０２３は集光レンズ、１０２４はラインセンサ、１０２５はＡ／Ｄ変換器、１０３０はスキャナ制御部、１０３１はＣＰＵ（Ｃｅｎｔｒａｌ  ＰｒｏｃｅｓｓｉｎｇＵｎｉｔ）、１０３２はＲＡＭ（Ｒａｎｄｏｍ  Ａｃｃｅｓｓ  Ｍｅｍｏｒｙ）、１０３３はＲＯＭ（Ｒｅａｄ  Ｏｎｌｙ  Ｍｅｍｏｒｙ）、１０４０はデータ処理部、１０５０は画像処理部、１１００は原稿検出センサをそれぞれ示している。
【００３３】
図２に示すように、スキャナ部１４０は箱形の本体１０１０の内部にキャリッジ１０２０を備えている。この本体１０１０の上方にガラス製で透明な原稿台１０１１が設けられている。キャリッジ１０２０は、本体１０１０の内部に図示しない駆動手段により原稿台１０１１に対して平行な副走査方向へ往復移動可能に設けられている。原稿台１０１１の反キャリッジ側に読み取り対象となる原稿Ｄが載置される。
【００３４】
キャリッジ１０２０には、光源１０２１、ミラー１０２２、集光レンズ１０２３およびラインセンサ１０２４が搭載されている。ミラー１０２２は、ラインセンサ１０２４に集光される原稿Ｄからの光を反射し、光路長を長くするために設けられている。集光レンズ１０２３は、原稿Ｄからの光をラインセンサ１０２４に集光する。ラインセンサ１０２４には、ＣＣＤなどの複数の画素をキャリッジ１０２０の移動方向と垂直に直線的に配列した電荷結合素子が使用される。ラインセンサ１０２４にはＡ／Ｄ変換器１０２５が接続され、ラインセンサ１０２４およびＡ／Ｄ変換器１０２５は撮像手段を構成している。Ａ／Ｄ変換器１０２５では、ラインセンサ１０２４から出力されたアナログの電気信号がデジタルの電気信号へ変換される。
【００３５】
光源１０２１は、キャリッジ１０２０の移動方向に対し垂直に設けられ、蛍光ランプなどが用いられる。光源１０２１から照射された光は、紙などの反射原稿の表面で反射し、ラインセンサ１０２４へ入射される。原稿台１０１１の周囲には、読み取られる原稿Ｄの載置位置を位置決めし、原稿読み取り時に原稿Ｄの移動を規制する原稿ガイド１０１２が設けられている。原稿台１０１１のキャリッジ移動方向の端部には、高反射率均一反射面を有する白基準１０１３が設けられている。
【００３６】
本体１０１０の内部にはスキャナ制御部１０３０が搭載されている。スキャナ制御部１０３０は、ＣＰＵ（Ｃｅｎｔｒａｌ  ＰｒｏｃｅｓｓｉｎｇＵｎｉｔ）１０３１、記憶手段としてのＲＡＭ（Ｒａｎｄｏｍ  Ａｃｃｅｓｓ  Ｍｅｍｏｒｙ）１０３２、ＲＯＭ（Ｒｅａｄ  Ｏｎｌｙ  Ｍｅｍｏｒｙ）１０３３、ならびにデータ処理部１０４０を備えて構成されている。ＣＰＵ１０３１は、キャリッジ１０２０の駆動の制御、光源１０２１の点滅の制御、原稿Ｄの読み取り状態の制御、データ処理部１０４０、ならびに後述する画像処理部１０５０でのデジタルデータの処理などスキャナ部１４０の全体の制御を行う。ＲＡＭ１０３２は、ラインセンサ１０２４で読み取られたデジタルデータなどを一時的に格納する。ＲＯＭ１０３３にはＣＰＵ１０３１によりスキャナ部１４０の各部を制御するためのコンピュータプログラムが格納されている。
【００３７】
データ処理部１０４０は、原稿から読み取ったデジタルの光量信号に対してシェーディング補正、ガンマ補正、その他の補正を行ない、デジタルの光量信号をデジタルデータに変換する。ここで、シェーディング補正は、Ａ／Ｄ変換器１０２５から出力されたデジタルの電気信号を、読み取り開始前に白基準１０１３を読み取ることで得られたデータを用いてラインセンサ１０２４の素子ごとの感度のばらつき、または光源１０２１の主走査方向の光量のばらつきを補正するものである。ガンマ補正は、所定のガンマ関数により行なう補正である。また、その他の補正としてはエッジ強調ならびに読み取り範囲の拡大／縮小など等がある。
【００３８】
スキャナ制御部１０３０に接続されている画像処理部１０５０は、データ処理部１０４０から出力されたデジタルデータに画像処理を実施する。また、画像処理部１０５０は、プリスキャンのときに読み取られたデジタルデータに基づいて、カラー／モノクロ別、書類／写真等の原稿種類を判別する。
【００３９】
画像処理部１０５０で処理されたデジタルデータは、本体１０１０に設けられているインターフェイス１０１４から制御部１１０へ出力される。
【００４０】
次に、本発明で用いられるスキャナ部１４０における原稿サイズの検出ついて説明する。図３は本発明の実施の形態に係る画像処理装置（複合機）のスキャナ部１４０の原稿サイズ検出機構を示す図である。図３においては、スキャナ部１４０における原稿サイズの検出に必要な機構のみ抜き出して示している。また、原稿台１０１１には、Ａ４縦置きの原稿Ｄと、Ａ４横置きの原稿Ｄ’が載置されている様子が示されている。なお、図３においては、原稿Ｄや原稿Ｄ’などを透過的に示している。
【００４１】
図中、原稿台１０１１の左隅奥を原点と定義し、矢印で示す方向を主走査方向、副走査方向と定義する。なお、原稿サイズの検出長さについては、主走査方向にはＸを用い、副走査方向にはＹを用いる。主走査方向の矢印の方向は正の方向と定義し、また、矢印の判定の方向を負の方向と定義する。副走査方向においても同様で、矢印の方向は正の方向と定義し、矢印の判定の方向を負の方向と定義する。以下、同様の図面においても同様の定義とする。
【００４２】
キャリッジ１０２０における構成は先に説明したものであり、原稿台１０１１に置かれた原稿Ｄからの光をラインセンサ１０２４でセンスする。ここで、原稿サイズ検出においては、キャリッジ１０２０をホームポジションに維持したまま、光源１０２１を点灯し、その反射光をラインセンサ１０２４で読み取ることによって、原稿Ｄの主走査方向（Ｘ方向）の長さを検出する。
【００４３】
原稿検出センサ１１００は、原稿台１０１１内に主走査方向及び副走査方向に移動自在に設けられている。原稿検出センサ１１００は、直上に光を射出する光源部と、原稿検出センサ１１００の直上に原稿Ｄが存在する場合に、その反射光を受光するセンサ部とから構成されており、原稿検出センサ１１００の直上の原稿台１０１１に置かれている原稿Ｄの存否を検出することができるようになっている。原稿サイズ検出のための原稿検出センサ１１００からの信号は、スキャナ部１４０におけるスキャナ制御部１０３０または制御部１１０によって処理されるように構成する。
【００４４】
この原稿検出センサ１１００は、不図示の機構によって主走査方向及び副走査方向に移動可能に構成されているが、通常はおよそ図に示すような位置をホームポジションとしている。
【００４５】
原稿台１０１１に置かれた原稿Ｄの原稿サイズ検出の概略について説明すると、まずラインセンサ１０２４によって、原稿Ｄの主走査方向（Ｘ方向）の長さを検出する。図の例では、原稿台１０１１に原稿Ｄが置かれているときには、Ｘ＝２１０ｍｍが検出され、原稿Ｄ’ が置かれているときには、Ｘ＝２９７ｍｍが検出される。このようなラインセンサ１０２４によって検出される原稿Ｄの主走査方向（Ｘ方向）の長さと、原稿検出センサ１１００からの原稿台１０１１上の原稿Ｄの存否情報の双方をみて原稿サイズを検出する。ここで、ラインセンサ１０２４によって検出される原稿Ｄの主走査方向（Ｘ方向）の長さが規格外の長さであったような場合には、原稿検出センサ１１００を、その移動機構によって主走査方向、副走査方向に移動させて、規格外原稿のサイズを検知するように設定する。以下、原稿サイズ検出方法の詳細について説明する。
【００４６】
図４は本発明の実施の形態に係る画像処理装置（複合機）における原稿サイズ検出処理のフローチャートを示す図である。また、図５はＩＳＯで定められたＡ列の原稿が原稿台１０１１に載置された様子を示す図であり、図６はＩＳＯで定められたＢ列の原稿が原稿台１０１１に載置された様子を示す図である。
【００４７】
ステップＳ１００において、原稿サイズ検出処理が開始されると、続くステップＳ１０１では、ラインセンサ１０２４によって原稿Ｄの主走査方向の長さＸの検出が行われる。
【００４８】
ステップＳ１０２では、ラインセンサ１０２４で検出した長さがＸ＝２９７ｍｍであるか否かが判定される。ステップＳ１０２における判定の結果がＹＥＳであるときにはステップＳ１０７に進み、ステップＳ１０２における判定の結果がＮＯであるときにはステップＳ１０３に進む。判定の結果がＹＥＳであるとき進むステップＳ１０７では、ホームポジションにおける原稿検出センサ１１００からの原稿存否に係る検出情報が読み込まれる。
【００４９】
次にステップＳ１０８では、原稿検出センサ１１００からの情報に基づいてホームポジションに原稿が存在するかが判定される。
【００５０】
ステップＳ１０８における判定の結果がＹＥＳであるときには、ステップＳ１０９に進み、原稿台１０１１上の原稿はＡ３サイズで縦置きされているものと判断する（図５中の原稿Ｄ１参照）。
【００５１】
また、ステップＳ１０８における判定の結果がＮＯであるときには、ステップＳ１１０に進み、原稿台１０１１上の原稿はＡ４サイズで横置きされているものと判断する（図５中の原稿Ｄ３参照）。
【００５２】
ステップＳ１０３では、ラインセンサ１０２４で検出した長さがＸ＝２１０ｍｍであるか否かが判定される。ステップＳ１０３における判定の結果がＹＥＳであるときにはステップＳ１１１に進み、ステップＳ１０３における判定の結果がＮＯであるときにはステップＳ１０４に進む。判定の結果がＹＥＳであるとき進むステップＳ１１１では、ホームポジションにおける原稿検出センサ１１００からの原稿存否に係る検出情報が読み込まれる。
【００５３】
次にステップＳ１１２では、原稿検出センサ１１００からの情報に基づいてホームポジションに原稿が存在するかが判定される。ステップＳ１１２における判定の結果がＹＥＳであるときには、ステップＳ１１３に進み、原稿台１０１１上の原稿はＡ４サイズで縦置きされているものと判断する（図５中の原稿Ｄ２参照）。
【００５４】
また、ステップＳ１１２における判定の結果がＮＯであるときには、ステップＳ１１４に進み、原稿台１０１１上の原稿はＡ５サイズで横置きされているものと判断する（図５中の原稿Ｄ４参照）。
【００５５】
ステップＳ１０４では、ラインセンサ１０２４で検出した長さがＸ＝２５０ｍｍであるか否かが判定される。ステップＳ１０４における判定の結果がＹＥＳであるときにはステップＳ１１５に進み、ステップＳ１０４における判定の結果がＮＯであるときにはステップＳ１０５に進む。判定の結果がＹＥＳであるとき進むステップＳ１１５では、ホームポジションにおける原稿検出センサ１１００からの原稿存否に係る検出情報が読み込まれる。
【００５６】
次にステップＳ１１６では、原稿検出センサ１１００からの情報に基づいてホームポジションに原稿が存在するかが判定される。
【００５７】
ステップＳ１１６における判定の結果がＹＥＳであるときには、ステップＳ１１７に進み、原稿台１０１１上の原稿はＢ４サイズで縦置きされているものと判断する（図６中の原稿Ｄ１参照）。
【００５８】
また、ステップＳ１１６における判定の結果がＮＯであるときには、ステップＳ１１８に進み、原稿台１０１１上の原稿はＢ５サイズで横置きされているものと判断する（図５中の原稿Ｄ３参照）。
【００５９】
ステップＳ１０５では、ラインセンサ１０２４で検出した長さがＸ＝１７６ｍｍであるか否かが判定される。ステップＳ１０５における判定の結果がＹＥＳであるときにはステップＳ１１９に進み、ステップＳ１０５における判定の結果がＮＯであるときにはステップＳ１０６に進む。判定の結果がＹＥＳであるとき進むステップＳ１１９では、ホームポジションにおける原稿検出センサ１１００からの原稿存否に係る検出情報が読み込まれる。
【００６０】
次にステップＳ１２０では、原稿検出センサ１１００からの情報に基づいてホームポジションに原稿が存在するかが判定される。
【００６１】
ステップＳ１２０における判定の結果がＹＥＳであるときには、ステップＳ１２１に進み、原稿台１０１１上の原稿はＢ５サイズで縦置きされているものと判断する（図６中の原稿Ｄ２参照）。
【００６２】
また、ステップＳ１２０における判定の結果がＮＯであるときには、ステップＳ１２２に進み、原稿台１０１１上の原稿はＢ６サイズで横置きされているものと判断する（図５中の原稿Ｄ４参照）。
【００６３】
ステップＳ１０５においてＮＯであると判定されたときには、原稿台１０１１上の原稿はＡ列に属するものでもなく、Ｂ列に属するものでもない規格外のものである、ということになる。したがって、続く、ステップＳ１０６では、規格外サイズ検出サブルーチンにジャンプする。ステップＳ１２３で、原稿サイズ検出処理を終了する。
【００６４】
次に、ステップＳ１０６でジャンプする規格外サイズ検出サブルーチンについて説明する。まず、ここで、原稿検出センサ１１００のホームポジションについて説明する。図７は、本発明の実施の形態に係る画像処理装置（複合機）における原稿検出センサ１１００のホームポジションの定義を説明する図である。
【００６５】
図７は原稿台１０１１を上からみた上面図である。原稿検出センサ１１００のホームポジションは、原点（原稿台１０１１左上隅）から主走査方向にＸｏ、副走査方向にＹｏ進んだ位置とする。以下に説明する規格外サイズ検出処理において、原稿検出センサ１１００は、このホームポジションから移動して、検出状態が変わる（検出信号が反転する）位置をその移動量から求めるものとする。
【００６６】
図８は本発明の実施の形態に係る画像処理装置（複合機）における規格外サイズ検出サブルーチンのフローチャートを示す図である。また、図９はＸ＞Ｘｏの原稿が原稿台１０１１に載置された様子を示す図であり、図１０はＸ≦Ｘｏの原稿が原稿台１０１１に載置された様子を示す図である。
【００６７】
ステップＳ２００で、規格外サイズ検出サブルーチンがスターとすると、次にステップＳ２０１において、ラインセンサ１０２４によって検出される原稿Ｄの主走査方向の長さＸと、原稿検出センサ１１００のホームポジションの主走査方向の座標Ｘｏとを比較して、Ｘ＞Ｘｏを満たすかが判定される。
【００６８】
ステップＳ２０１の判定の結果がＹＥＳであるときはステップＳ２０２に進み、ステップＳ２０１の判定の結果がＮＯであるときはステップＳ２１０に進む。
【００６９】
ステップＳ２０２においては、ホームポジションにおける原稿検出センサ１１００からの原稿存否に係る検出情報が読み込まれる。
【００７０】
次にステップＳ２０３では、原稿検出センサ１１００からの情報に基づいてホームポジションに原稿が存在するかが判定される。
【００７１】
ステップＳ２０３における判定の結果がＹＥＳであるときにはステップＳ２０４に進み、ステップＳ２０３における判定の結果がＮＯであるときにはステップＳ２０７に進む。
【００７２】
ステップＳ２０４においては、原稿検出センサ１１００を副走査方向の正の方向に移動させる。ステップＳ２０５においては、原稿検出センサ１１００の信号が反転する位置を検出する。このような位置が原稿の端部位置となる。ステップＳ２０６においては、原稿検出センサ１１００の移動量に基づいてＹの算出を行う。ステップＳ２０６までの処理によって例えば、図９の原稿Ｄ１のサイズを検知することが可能となる。
【００７３】
ステップＳ２０３における判定の結果がＮＯであるとき進むステップＳ２０７においては、原稿検出センサ１１００を副走査方向の負の方向に移動させる。ステップＳ２０８においては、原稿検出センサ１１００の信号が反転する位置を検出する。ステップＳ２０９においては、原稿検出センサ１１００の移動量に基づいてＹの算出を行う。ステップＳ２０９までの処理によって例えば、図９の原稿Ｄ２のサイズを検知することが可能となる。
【００７４】
ステップＳ２０１における判定の結果がＮＯであるときに進むステップＳ２１０においては、原稿検出センサ１１００をホームポジションから主走査方向の負の方向に移動させる。これにより、原稿検出センサ１１００を主走査方向の座標値としては（Ｘ−α）のところまで移動させる。ただし、αの値は、０＜α＜Ｘである。ステップＳ２１０で、原稿検出センサ１１００を図１０におけるＰの位置まで移動させるわけである。
【００７５】
ステップＳ２１１においては、ホームポジションにおける原稿検出センサ１１００からの原稿存否に係る検出情報が読み込まれる。次にステップＳ２１２では、原稿検出センサ１１００からの情報に基づいてホームポジションに原稿が存在するかが判定される。
【００７６】
ステップＳ２１２における判定の結果がＹＥＳであるときにはステップＳ２１３に進み、ステップＳ２１２における判定の結果がＮＯであるときにはステップＳ２１６に進む。
【００７７】
ステップＳ２１３においては、原稿検出センサ１１００を副走査方向の正の方向に移動させる。ステップＳ２１４においては、原稿検出センサ１１００の信号が反転する位置を検出する。このような位置が原稿の端部位置となる。ステップＳ２１５においては、原稿検出センサ１１００の移動量に基づいてＹの算出を行う。ステップＳ２１５までの処理によって例えば、図１０の原稿Ｄ１のサイズを検知することが可能となる。
【００７８】
ステップＳ２１２における判定の結果がＮＯであるとき進むステップＳ２１６においては、原稿検出センサ１１００を副走査方向の負の方向に移動させる。ステップＳ２１７においては、原稿検出センサ１１００の信号が反転する位置を検出する。ステップＳ２１８においては、原稿検出センサ１１００の移動量に基づいてＹの算出を行う。ステップＳ２１８までの処理によって例えば、図１０の原稿Ｄ２のサイズを検知することが可能となる。
【００７９】
以上、本発明の画像処理装置及び画像処理装置の制御方法によれば、規格で決まっている定形サイズの原稿については、ラインセンサとホームポジションにある原稿検出センサからの情報によって、センサ等を移動させることなく検出することができ、かつ、規格外の原稿サイズについても原稿検出センサが移動することによって、検知することができるので、原稿サイズの検知に要する時間を大幅に短縮することができ、使い勝手のよい画像処理装置を提供することができる。
【００８０】
ところで、現在、日本ではＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）のＡ列、Ｂ列による規格の用紙が一般的であるが、米国などはリーガルサイズ、レターサイズなどの規格の用紙が一般的である。これらの規格の用紙のサイズを混在させつつ、画像処理装置を利用することはまれであるので、Ａ列、Ｂ列の用紙サイズを検出する第１のモードと、リーガルサイズ、レターサイズなどの規格の用紙サイズを検出する第２のモードを切り換えられるようにして画像処理装置を利用する形態とすれば、用紙サイズ検出用センサの数を多く設ける必要がなくなる。ここで、第１のモードのとき原稿検出センサ１１００は第１のホームポジションに位置させるようにし、第２のモードのとき原稿検出センサ１１００は第２のホームポジションを位置させるようにする。
【００８１】
図１１（Ａ）はＩＳＯのＡ列（Ａ５、Ａ４、Ａ３）の用紙サイズを示しており、（Ｂ）ＩＳＯのＢ列（Ｂ６、Ｂ５、Ｂ４）の用紙サイズを示している。図１２は、レターサイズ、リーガルサイズ、ダブルレターサイズの用紙サイズを示すものである。原稿検出センサ１１００の第１のホームポジションはＩＳＯのＡ列（Ａ５、Ａ４、Ａ３）及びＩＳＯのＢ列（Ｂ６、Ｂ５、Ｂ４）の用紙サイズを検出するのに好適な位置として、原稿検出センサ１１００の第２のホームポジションはレターサイズ、リーガルサイズ、ダブルレターサイズの用紙サイズを検出するのに好適な位置とする。
【００８２】
ここで、Ａ列、Ｂ列の用紙サイズを検出する第１のモードと、リーガルサイズ、レターサイズなどの規格の用紙サイズを検出する第２のモードを切り換えは、操作パネル部１５０の表示パネルにおいてユーザー操作によって行うように構成する。このようなモード切り換えのための処理ついては、画像処理装置における従来周知の方法を用いることができる。
【００８３】
図１３は、本発明の実施の形態に係る画像処理装置（複合機）における表示パネルのユーザーインターフェイス表示例を示す図である。図１３に示すように、「検出する定型サイズの系列を選択してください」という質問に対して、「１．Ａ列サイズ−Ｂ列サイズの検出」、「２．レターサイズ、リーガルサイズの検出」の選択肢を構成しておき、これによってユーザーは「１」か「２」を選択して、画像処理装置に第１のモードか、第２のモードかを設定できるように構成する。図１３の例では「検出サイズ＝？    ２」に示すように、ユーザーは「２」を選択して、画像処理装置に第２のモードを設定している様子を示している。
【００８４】
これまで、説明した図４のフローチャートは、「第１のモード」に係るものである。次に、図１４、図１５を参照しつつ「第２のモード」について説明する。
【００８５】
図１４は本発明の実施の形態に係る画像処理装置（複合機）における原稿サイズ検出処理のフローチャートを示す図である。また、図１５は、レターサイズ、リーガルサイズ、ダブルレターサイズの原稿が原稿台１０１１に載置された様子を示す図である。図１４は第２のモードの検出用処理フローであある。また、図１５において原稿検出センサ１１００は、レターサイズ、リーガルサイズ、ダブルレターサイズの原稿検出に好適な第１のホームポジションをとっている。
【００８６】
ステップＳ３００において、原稿サイズ検出処理が開始されると、続くステップＳ３０１では、ラインセンサ１０２４によって原稿Ｄの主走査方向の長さＸの検出が行われる。
【００８７】
ステップＳ３０２では、ラインセンサ１０２４で検出した長さがＸ＝２７９．４ｍｍであるか否かが判定される。
【００８８】
ステップＳ３０２における判定の結果がＹＥＳであるときにはステップＳ３０９に進み、ステップＳ３０２における判定の結果がＮＯであるときにはステップＳ３０３に進む。判定の結果がＹＥＳであるとき進むステップＳ３０５では、ホームポジションにおける原稿検出センサ１１００からの原稿存否に係る検出情報が読み込まれる。
【００８９】
次にステップＳ３０６では、原稿検出センサ１１００からの情報に基づいて第２のホームポジションに原稿が存在するかが判定される。
【００９０】
ステップＳ３０６における判定の結果がＹＥＳであるときには、ステップＳ３０７に進み、原稿台１０１１上の原稿はダブルレターサイズで縦置きされているものと判断する（図１５中の原稿Ｄ１参照）。
【００９１】
また、ステップＳ３０６における判定の結果がＮＯであるときには、ステップＳ３０８に進み、原稿台１０１１上の原稿はレターサイズで横置きされているものと判断する（図５中の原稿Ｄ４参照）。
【００９２】
ステップＳ３０２における判定の結果がＮＯであるときに進むステップＳ３０３においては、ラインセンサ１０２４で検出した長さがＸ＝２１５．９ｍｍであるか否かが判定される。
【００９３】
ステップＳ３０３は、ラインセンサ１０２４で検出した長さがＸ＝２１５．９ｍｍであるか否かが判定される。ステップＳ３０３における判定の結果がＹＥＳであるときにはステップＳ３０９に進み、ステップＳ３０３における判定の結果がＮＯであるときにはステップＳ３０４に進む。判定の結果がＹＥＳであるとき進むステップＳ３０９では、第２のホームポジションにおける原稿検出センサ１１００からの原稿存否に係る検出情報が読み込まれる。
【００９４】
次にステップＳ３１０では、原稿検出センサ１１００からの情報に基づいてホームポジションに原稿が存在するかが判定される。
【００９５】
ステップＳ３１０における判定の結果がＹＥＳであるときには、ステップＳ３１１に進み、原稿台１０１１上の原稿はリーガルサイズで縦置きされているものと判断する（図１５中の原稿Ｄ２参照）。
【００９６】
また、ステップＳ３１０における判定の結果がＮＯであるときには、ステップＳ３１２に進み、原稿台１０１１上の原稿はレターサイズで縦置きされているものと判断する（図１５中の原稿Ｄ３参照）。
【００９７】
ステップＳ３０３においてＮＯであると判定されたときには、原稿台１０１１上の原稿はリーガルサイズやレターサイズに属するものでもない規格外のものである、ということになる。したがって、続く、ステップＳ３０４では、規格外サイズ検出サブルーチンにジャンプする。この規格外サイズ検出サブルーチンは、先に説明したものと同様のものである。ステップＳ３１３で、原稿サイズ検出処理を終了する。
【００９８】
以上のように、本発明の画像処理装置及び画像処理装置の制御方法によれば、検出用のセンサ類を多く用いることなく、ＩＳＯのＡ列、Ｂ列の用紙やリーガルやレターいった用紙など、複数の規格の用紙サイズを検出することが可能な画像処理装置を提供することができる。
【図面の簡単な説明】
【００９９】
【図１】本発明の実施の形態に係る画像処理装置（複合機）及びその周辺のシステム構成を示す図である。
【図２】本発明の実施の形態に係る画像処理装置（複合機）のスキャナ部１４０の概略構成を示す図である。
【図３】本発明の実施の形態に係る画像処理装置（複合機）のスキャナ部１４０の原稿サイズ検出機構を示す図である。
【図４】本発明の実施の形態に係る画像処理装置（複合機）における原稿サイズ検出処理のフローチャートを示す図である。
【図５】ＩＳＯで定められたＡ列の原稿が原稿台１０１１に載置された様子を示す図である。
【図６】ＩＳＯで定められたＢ列の原稿が原稿台１０１１に載置された様子を示す図である。
【図７】本発明の実施の形態に係る画像処理装置（複合機）における原稿検出センサ１１００のホームポジションの定義を説明する図である。
【図８】本発明の実施の形態に係る画像処理装置（複合機）における規格外サイズ検出サブルーチンのフローチャートを示す図である。
【図９】はＸ＞Ｘｏの原稿が原稿台１０１１に載置された様子を示す図である。
【図１０】Ｘ≦Ｘｏの原稿が原稿台１０１１に載置された様子を示す図である。
【図１１】（Ａ）はＩＳＯのＡ列（Ａ５、Ａ４、Ａ３）の用紙サイズを示しており、（Ｂ）ＩＳＯのＢ列（Ｂ６、Ｂ５、Ｂ４）の用紙サイズを示している。
【図１２】レターサイズ、リーガルサイズ、ダブルレターサイズの用紙サイズを示すものである。
【図１３】本発明の実施の形態に係る画像処理装置（複合機）における表示パネルのユーザーインターフェイス表示例を示す図である。
【図１４】本発明の実施の形態に係る画像処理装置（複合機）における原稿サイズ検出処理のフローチャートを示す図である。
【図１５】レターサイズ、リーガルサイズ、ダブルレターサイズの原稿が原稿台１０１１に載置された様子を示す図である。
【符号の説明】
【０１００】
１０・・・ネットワーク、２０・・・電話回線、１００・・・複合機、１１０・・・制御部、１１１・・・解像度設定部、１１２・・・転送用メモリ、１１３・・・解像度の設定用テーブル、１１４・・・画像処理中止信号生成部、１１５・・・メモリ解放信号生成部、１２０・・・ファクシミリ部、１３０・・・プリンタ部、１４０・・・スキャナ部、１５０・・・操作パネル部、１６０・・・ネットワークＩ／Ｆ、１７０・・・ＵＳＢ  Ｉ／Ｆ、２００、２００’、２００’’ ・・・パーソナルコンピュータ、３００・・・外部機器、１０１０・・・本体、１０１１・・・原稿台、１０１３・・・白基準、１０１４・・・インターフェイス、１０２０・・・キャリッジ、１０２１・・・光源、１０２２・・・ミラー、１０２３・・・集光レンズ、１０２４・・・ラインセンサ、１０２５・・・Ａ／Ｄ変換器、１０３０・・・スキャナ制御部、１０３１・・・ＣＰＵ（Ｃｅｎｔｒａｌ  ＰｒｏｃｅｓｓｉｎｇＵｎｉｔ）、１０３２・・・ＲＡＭ（Ｒａｎｄｏｍ  Ａｃｃｅｓｓ  Ｍｅｍｏｒｙ）、１０３３・・・ＲＯＭ（Ｒｅａｄ  Ｏｎｌｙ  Ｍｅｍｏｒｙ）、１０４０・・・データ処理部、１０５０・・・画像処理部、１１００・・・原稿検出センサ
【図１】
2008283279.tif 000003
【図２】
2008283279.tif 000004
【図３】
2008283279.tif 000005
【図４】
2008283279.tif 000006
【図５】
2008283279.tif 000007
【図６】
2008283279.tif 000008
【図７】
2008283279.tif 000009
【図８】
2008283279.tif 000010
【図９】
2008283279.tif 000011
【図１０】
2008283279.tif 000012
【図１１】
2008283279.tif 000013
【図１２】
2008283279.tif 000014
【図１３】
2008283279.tif 000015
【図１４】
2008283279.tif 000016
【図１５】
2008283279.tif 000017